(57)【要約】【課題】  磁気位置決め機能を具えた工具ホルダの提供。【解決手段】  ホルダに複数の穿孔が開設され、並びに上面に滑り溝が設けられて複数の受座が取り付けられ、各受座が工具を支持するのに用いられ、別にホルダの背面に複数の受孔が設けられて磁気部品が固定され、これにより、ホルダが複数の穿孔で壁面への掛置或いは固着の基本使用効果を具備するのみならず、背面の磁気部品を利用して作業場所周囲の金属製物品に吸着可能で、設置方向に制限されず、並びにホルダが任意にスライドするのを防止し、工具の取り出しに便利で、異なる方式で簡単にホルダを位置決めできる実用効果を達成するものとされている。【選択図】        図５
0003110662.tif 000002
【実用新案登録請求の範囲】
【請求項１】
ホルダに少なくとも一つの穿孔が設けられ、並びにホルダの上面に滑り溝が設けられて該滑り溝に複数の受座が取り付けられ、各受座が工具を支持するのに用いられる磁気位置決め機能を具えた工具ホルダにおいて、ホルダの背面に磁気部品が固定され、これにより、ホルダが壁面への掛置或いは固着の基本使用機能を具備するのみならず、背面の磁気部品を利用して金属製物品に吸着可能とされ、ホルダが異なる方向に迅速に設置、位置決め可能とされたことを特徴とする、磁気位置決め機能を具えた工具ホルダ。
【請求項２】
請求項１記載の磁気位置決め機能を具えた工具ホルダにおいて、ホルダの背面に磁気部品を固着するための受孔が設けられたことを特徴とする、磁気位置決め機能を具えた工具ホルダ。
【考案の詳細な説明】
【技術分野】
【０００１】
本考案は壁面に吊掛或いは固着できる基本設置使用効果を有するほか、作業場所周辺の金属製物品に吸着可能で容易に位置決めでき、並びに任意のスライドが防止された磁気位置決め機能を具えた工具ホルダに関する。
【背景技術】
【０００２】
現在、各種の異なるサイズのネジ部品を取り付けるためには、合わせて使用する工具も多種類のサイズ規格のものを具備しなくてはならず、例えばスリーブ工具、そのｃｍ、英インチサイズなど相当多くのものを具備しなくてはならない。その管理と収納に便利であるよう各サイズのスリーブ工具がホルダに収納される。図１に示されるように、周知のホルダ１には複数の穿孔１１が開設され、並びに一側に吊孔１２が開設され、ホルダ１の上面に滑り溝１３が設けられ、該滑り溝１３の一端にストッパ板１４が設けられ、並びに別端に弾性下圧可能なストッパ部１５が設けられ、滑り溝１３に複数の受座２が取り付けられ、各受座２の底面にスライドブロック２１が設けられ、並びに上面にビーズを具えた嵌合部２２が設けられ、且つ嵌合部２２の一側にサイズ表示部２３が設けられて工具サイズを表示し、これにより工具３が受座２の嵌合部２２に嵌合されて、ホルダ１に収納される。使用者はホルダが任意に放置されることで迅速な工具の取り出しに不利とならないように、一般にホルダを壁面に吊掛るか固着する。図２はホルダの吊掛使用表示図である。使用者はホルダ１の吊孔１２を壁面のピンに嵌合し、ホルダ１を直立するように吊掛け、工具３の取り出しに便利とする。図３に示されるように、或いはピンをホルダ１の穿孔１１に通し、ホルダ１を横向きに壁面上に固定して工具３の取り出しに便利とする。このような二種類のホルダ設置方式は、使用者が迅速に明確にホルダ上の工具を取り出せるものの、いずれも定点設置であり、且つ壁面にピンを設けて掛置或いは固着しなければならない。しかし使用者の作業地点はホルダ設置場所とは限らない。図４に示されるように、その場合は、使用者は工具の取り出しに便利なように、ホルダ１を工具台車４に置き、並びに工具台車４を作業地点まで推して迅速にホルダ１上の工具３を取り出せるようにする。しかし、工具台車４は金属薄板で製造され、その周側壁面には釘がなくホルダ１を掛置くことができず、またホルダ１を側壁に固着するのにも不便で、使用者はホルダ１を工具台車４の収容空間中に置くことしかできず、ホルダ１底面はプラスチック平面であり、並びに収容空間に位置決めできず、工具台車４を移動させる時、ホルダ１が収容空間内で任意に移動し、使用者が定点で工具３を取り出せなくなり、工具台車４内の多くの工具中よりホルダ１のありかを探さねばならず、工具３取り出しの不便を形成する。さらに、使用者が高所或いは斜面で固定具の着脱作業を行なう時、随時工具を取り出すために、ホルダを周辺に携帯、放置する必要があるが、ホルダはどこにも位置決め不能で、斜面に位置決めするのは難しく、使用者がホルダに衝突すると、ホルダが移動して高所より落下し、工具を損傷することがある。これにより、使用者がホルダを吊掛或いは固着するのに不便である時もホルダを位置決めでき工具の取り出しに便利とする他の方式を提供することが業者の研究開発の標的である。
【考案の開示】
【考案が解決しようとする課題】
【０００３】
本考案の主要な目的は、磁気位置決め機能を具えた工具ホルダを提供することにあり、このホルダは壁面への吊掛或いは固着の基本使用機能のほか、背面の磁気部品を利用して金属製物品（例えば工具台車）に吸着させることができ、異なる方式で迅速に設置位置決めでき、工具の取り出しに便利である実用機能を具えたものとする。
【０００４】
本考案の次の目的は、磁気位置決め機能を具えた工具ホルダを提供することにあり、それは、使用者が高所或いは斜面等の作業地点で固定具の着脱作業を行なう時、ホルダを周辺の水平或いは斜面の金属製物品に吸着させられ、ホルダの任意の落下を防止し、ホルダの設置、位置決めが容易で工具の損傷を防止できるものとする。
【０００５】
本考案の別の目的は、磁気位置決め機能を具えた工具ホルダを提供することにあり、それは、余分に釘或いは固定具を必要とせずにホルダを設置、位置決めでき、ホルダ設置上の便利性を高めたものとする。
【０００６】
本考案のまた別の目的は、磁気位置決め機能を具えた工具ホルダを提供することにあり、それは、磁気部品を利用して金属製物品に吸着させられ、並びに使用の必要により異なる方向に設置でき、これにより設置の便利性を高めたものとする。
【０００７】
本考案の更に別の目的は、磁気位置決め機能を具えた工具ホルダを提供することにあり、それは、磁気部品を利用して金属製物品（例えば工具台車）の収容空間中に位置決めでき、任意のスライドを防止でき、使用者が多くの工具中より時間をかけて探す必要がなく、迅速に工具を取り出せるものとする。
【課題を解決するための手段】
【０００８】
請求項１の考案は、ホルダに少なくとも一つの穿孔が設けられ、並びにホルダの上面に滑り溝が設けられて該滑り溝に複数の受座が取り付けられ、各受座が工具を支持するのに用いられる磁気位置決め機能を具えた工具ホルダにおいて、ホルダの背面に磁気部品が固定され、これにより、ホルダが壁面への掛置或いは固着の基本使用機能を具備するのみならず、背面の磁気部品を利用して金属製物品に吸着可能とされ、ホルダが異なる方向に迅速に設置、位置決め可能とされたことを特徴とする、磁気位置決め機能を具えた工具ホルダとしている。
請求項２の考案は、請求項１記載の磁気位置決め機能を具えた工具ホルダにおいて、ホルダの背面に磁気部品を固着するための受孔が設けられたことを特徴とする、磁気位置決め機能を具えた工具ホルダとしている。
【考案の効果】
【０００９】
本考案は一種の磁気位置決め機能を具えた工具ホルダを提供し、それは、ホルダに複数の穿孔が開設され、並びに上面に滑り溝が設けられて複数の受座が取り付けられ、各受座が工具を支持するのに用いられ、別にホルダの背面に複数の受孔が設けられて磁気部品が固定され、これにより、ホルダが複数の穿孔で壁面への掛置或いは固着の基本使用効果を具備するのみならず、背面の磁気部品を利用して作業場所周囲の金属製物品に吸着可能で、設置方向に制限されず、並びにホルダが任意にスライドするのを防止し、工具の取り出しに便利で、異なる方式で簡単にホルダを位置決めできる実用効果を達成するものとされている。
【考案を実施するための最良の形態】
【００１０】
図５、６に示されるように、ホルダ５の上面には滑り溝５１が設けられ、該滑り溝５１の一端にはストッパ板５２があり、その別端には弾性下圧するストッパ部５３が設けられ、ホルダ５の板面に複数の穿孔５４、５５が設けられて壁面の吊掛或いは固着に供され、別にホルダ５の背面に複数の受孔５６が設けられ、磁気部品５７が固着され、これによりホルダ５の滑り溝５１に複数の受座６を取り付け可能で、各受座６にビーズを具えた嵌合部６１が設けられ、並びに嵌合部６１の底面にスライドブロック６２が設けられ、且つ側方にサイズ表示ラベルを交換できるサイズ表示部６３が設けられ、これによりホルダ５のストッパ部５３を押圧して受座６をスライドブロック６２を以て滑り溝５１中に滑り込ませてからストッパ部５３を釈放することで、それを上向きに弾性回復させ、複数の受座６をホルダ５中に位置制限できる。これにより、各受座６が工具７（例えばスリーブ）を嵌合部６１に嵌合可能となり、並びにビーズで工具７を係止し、これにより複数の工具７をホルダ５に収納できる。
【００１１】
図７に示されるように、本考案は使用者がホルダ５の穿孔５５を利用してホルダ５を壁面に吊掛でき、或いはピンで穿孔５４を利用してホルダ５を壁面に固着できる基本使用効果を有するほか、作業地点に吊掛或いは固着できる壁面がない時、ホルダ５背面の磁気部品５７を利用して金属製物品の面板８に吸着させられ、並びに面板８上の設置空間によりホルダ５を直立設置してホルダ５を迅速に金属製物品を位置決めして工具７の取り出しに便利とすることができる。図８を参照されたい。ホルダ５はまた使用の必要により、背面の磁気部品５７を利用して金属製物品の面板８に吸着させることができ、並びに横向きに設置可能であり、ホルダ５を金属製物品にこのように異なる方向に位置決めして工具７を取り出すのに便利とすることができる。図９を参照されたい。使用者がホルダ５を金属製の工具台車９の収容空間内に設置する時、ホルダ５は背面の磁気部品５７で収容空間の底板に吸着可能で迅速に位置決めされ、並びに工具台車９の移動により収容空間内で任意に移動することがなく、時間をかけてホルダ５を探す必要がなく、簡単にホルダを位置決めして工具台車９の取り出しに便利とする実用効果を達成できる。図１０を参照されたい。使用者が高所で斜面を有する特殊作業地点（例えば屋根）で固定具の着脱作業を行なう時、ホルダ５を磁気部品５７で斜面を呈する金属製面板１０に吸着させてホルダ５を位置決めして任意落下を防止でき、ホルダ５の落下による工具の損傷を防止でき、ホルダ５を簡単に位置決めする実用効果を達成できる。
【００１２】
総合すると、本考案は実用性と進歩性を具え、且つその構造はこれまでになく、新規性を有している。
【図面の簡単な説明】
【００１３】
【図１】周知のホルダの表示図である。
【図２】周知のホルダの壁面への吊掛表示図である。
【図３】周知のホルダの壁面への固着表示図である。
【図４】周知のホルダを工具台車に設置した使用表示図である。
【図５】本考案のホルダの外観図である。
【図６】本考案のホルダの底面図である。
【図７】本考案のホルダの金属製壁面への縦向き位置決めの使用表示図である。
【図８】本考案のホルダの金属製壁面への横向き位置決めの使用表示図である。
【図９】本考案のホルダの工具台車への水平位置決めの使用表示図である。
【図１０】本考案のホルダの傾斜する金属製物品への位置決めの使用表示図である。
【符号の説明】
【００１４】
１  ホルダ                  １１  穿孔
１２  吊孔                  １３  滑り溝
１４  ストッパ板            １５  ストッパ部
２  ホルダ                  ２１  スライドブロック
２２  嵌合部                ２３  サイズ表示部
３  工具                    ４  工具台車
５  ホルダ                  ５１  滑り溝
５２  ストッパ板            ５３  ストッパ部
５４、５５  穿孔            ５６  受孔
５７  磁気部品              ６  受座
６１  嵌合部                ６２  スライドブロック
６３  サイズ表示部          ７  工具
８  面板                    ９  工具台車
１０  面板
【図１】
0003110662.tif 000003
【図２】
0003110662.tif 000004
【図３】
0003110662.tif 000005
【図４】
0003110662.tif 000006
【図５】
0003110662.tif 000007
【図６】
0003110662.tif 000008
【図７】
0003110662.tif 000009
【図８】
0003110662.tif 000010
【図９】
0003110662.tif 000011
【図１０】
0003110662.tif 000012